(57)【要約】【課題】  バーナ操作部の点火操作に連動してガス回路の安全弁が手動で開弁される形式のガスコンロにおいて、ガスバーナの点火を保証して使い勝手をよくすると共に、点火操作直後にあっても調理容器無しに起因した危険事象を回避する。【解決手段】  ガスコンロ１は、ガスバーナ２が臨むコンロ部５１における鍋Ａの有無を検知する鍋検知装置１３と、ガスバーナ２の炎を検知する炎検知装置２７と、制御装置６１とを備える。  制御装置６１は、コンロボタン２１の点火操作し鍋の有無が監視され（Ｓ１、Ｓ２）、ガスバーナ２が点火して炎検知装置２７で炎検知されると（Ｓ３、Ｓ４）、鍋無し検知されている場合は（Ｓ６）、流量調整弁２６を絞ってガスバーナ２の火力を弱火にするように制御する（Ｓ７）。  これにより、鍋無し時の直火に起因した危険事象を回避することができ、鍋無しであってもガスバーナ２の点火が保証されて使い勝手がよくなる。【選択図】  図５
2007046799.tif 000002
【特許請求の範囲】
【請求項１】
ガスバーナに対する点火、燃焼及び消火操作を行うバーナ操作部を備え、上記ガスバーナのガス回路には安全弁及び流量調整弁が設けられ、上記バーナ操作部の点火操作に連動して上記安全弁が開弁される形式のガスコンロにおいて、
上記ガスバーナが臨むコンロ部における調理容器の有無を検知する調理容器検知手段と、
上記ガスバーナの炎を検知する炎検知手段と、
上記バーナ操作部の点火操作の間に上記調理容器検知手段で調理容器無しが検知されている場合は、上記ガスバーナが点火して上記炎検知手段で炎検知されると上記流量調整弁を絞って上記ガスバーナの火力を弱火にするように制御する制御手段とを備えたことを特徴とするガスコンロ。
【請求項２】
ガスバーナに対する点火、燃焼及び消火操作を行うバーナ操作部を備え、上記ガスバーナのガス回路には安全弁及び流量調整弁が設けられ、上記バーナ操作部の点火操作に連動して上記安全弁が開弁される形式のガスコンロにおいて、
上記ガスバーナが臨むコンロ部における調理容器の有無を検知する調理容器検知手段と、
上記バーナ操作部の点火操作の間に上記調理容器検知手段で調理容器無しが検知されている場合は、上記点火操作終了直後に上記流量調整弁を絞って上記ガスバーナの火力を弱火にするように制御する制御手段とを備えたことを特徴とするガスコンロ。
【発明の詳細な説明】
【技術分野】
【０００１】
本発明は、鍋等の調理容器の有無を検知する調理容器検知手段を設けて調理容器無し時の直火に起因する危険事象を回避するようにしたガスコンロに関する。
【背景技術】
【０００２】
従来、この種のガスコンロとしては、コンロ部に昇降式に設けられた鍋底温度センサが鍋無し時に上昇していることで鍋無し検出する鍋検知手段を設け、ガスバーナが燃焼状態にある調理中に鍋検知手段で鍋無しが検知されるとガスバーナを消火もしくは火力を絞るように制御するものがある（特許文献１、特許文献２）。これにより、調理が終わりコンロ部から鍋を移し火を消し忘れた状態で放置されることや、コンロ部から鍋を持上げたときに炎で火傷したり着衣の袖等に火が引火する等といった鍋無し時の直火に起因する危険事象を回避することができる。
【０００３】
上記ガスコンロは、いずれもガスバーナが燃焼状態にある調理中での安全機能であるが、ガスバーナの点火操作直後にあっても同様の安全機能を担保することが期待される。そこで、バーナ操作部を点火操作するときに鍋無しを検知した場合は、ガス回路における安全弁を閉弁状態とし、イグナイターを作動させないようにして、ガスバーナを点火させないようにすることが考えられる。
【特許文献１】特開平８−８６４４５号公報
【特許文献２】特開平８−３０３７８７号公報
【発明の開示】
【発明が解決しようとする課題】
【０００４】
ところが、ガスコンロにおいては、バーナ操作部の点火操作に連動してガスバーナへのガス回路の安全弁を手動で開弁させるように構成したものがある。このガスコンロでは、点火操作時、手動式にバーナ操作部を押込み操作等している間はガス回路の安全弁が開弁されてガスバーナにガスが供給される。従って、このようなガスコンロにおいて、上述のように、点火操作時に鍋無しを検知し、イグナイターを作動させずガスバーナを点火させないようにした場合、バーナ操作部を点火操作している間はガス回路の安全弁が開弁されてガスバーナにはガス供給されてしまうため、ガスバーナ周囲に生ガスが滞留することとなる。そのため、ガス臭くなって使用者に不快感を抱かせることとなる。そして、この点火操作が何回か繰り返された後に、コンロ部に鍋が置かれてイグナイターが作動しガスバーナを点火させると爆発着火するおそれがある。
【０００５】
一方、点火操作の際に鍋無しが検知されると、点火したガスバーナを直ちに消火するようにすれば、例えば、一方の手で鍋を置きながら他方の手で同時に点火操作を行ったとき、少しでも点火操作が早ければ、鍋を置いたにもかかわらず鍋無しと検知され、点火したガスバーナが直ぐに消火されて再度点火操作しなければならないといった煩わしさを招き、使い勝手が悪くなるおそれがある。
【０００６】
本発明は、上記事情に鑑みてなされたものであり、ガスバーナの点火を保証して使い勝手をよくすると共に、点火操作直後にあっても調理容器無しに起因した危険事象を回避するようにしたガスコンロを実現することを課題とする。
【課題を解決するための手段】
【０００７】
（１）本発明に係るガスコンロ（請求項１）は、
ガスバーナに対する点火、燃焼及び消火操作を行うバーナ操作部を備え、上記ガスバーナのガス回路には安全弁及び流量調整弁が設けられ、上記バーナ操作部の点火操作に連動して上記安全弁が開弁される形式のガスコンロにおいて、
上記ガスバーナが臨むコンロ部における調理容器の有無を検知する調理容器検知手段と、
上記ガスバーナの炎を検知する炎検知手段と、
上記バーナ操作部の点火操作の間に上記調理容器検知手段で調理容器無しが検知されている場合は、上記ガスバーナが点火して上記炎検知手段で炎検知されると上記流量調整弁を絞って上記ガスバーナの火力を弱火にするように制御する制御手段とを備えたことを特徴とするものである。
これにより、バーナ操作部の点火操作によってガス回路の安全弁が開弁されても、点火操作の際に調理容器無しの場合は、上記炎検知手段で炎検知されるとガスバーナの火力が弱火にされるので、点火操作直後にあっても調理容器無し時の直火に起因した危険事象を回避することができる。
【０００８】
しかも、流量調整弁を絞ってガスバーナの火力を弱火にするのは、炎検知手段でのガスバーナの炎検知に基づいて行われるので、ガスバーナの点火前に流量調整弁が絞られることがなくガスバーナへの点火を保証することができる。従って、バーナ操作部の点火操作によってガス回路の安全弁が開弁されても、このときはガスバーナが点火されるので、ガスバーナから生ガスが放出されることもない。
【０００９】
また、上記制御手段の制御では、調理容器の載置と点火操作とが同時になされ、例え点火操作の際に調理容器無しと検知されても、ガスバーナを消火せず火力を弱火とするので、調理容器を置いたにもかかわらず再度点火操作しなければならないといった煩わしさを招くこともなく、使い勝手をよくすることができる。
【００１０】
（２）また、本発明に係るガスコンロ（請求項２）は、
ガスバーナに対する点火、燃焼及び消火操作を行うバーナ操作部を備え、上記ガスバーナのガス回路には安全弁及び流量調整弁が設けられ、上記バーナ操作部の点火操作に連動して上記安全弁が開弁される形式のガスコンロにおいて、
上記ガスバーナが臨むコンロ部における調理容器の有無を検知する調理容器検知手段と、
上記バーナ操作部の点火操作の間に上記調理容器検知手段で調理容器無しが検知されている場合は、上記点火操作終了直後に上記流量調整弁を絞って上記ガスバーナの火力を弱火にするように制御する制御手段とを備えたことを特徴とするものである。
これにより、バーナ操作部の点火操作によってガス回路の安全弁が開弁されても、点火操作の際に調理容器無しの場合は、点火操作終了後にガスバーナの火力が弱火にされるので、点火操作直後にあっても調理容器無し時の直火に起因した危険事象を回避することができる。
【００１１】
しかも、流量調整弁を絞ってガスバーナの火力を弱火にするのは、点火操作終了直後に行われるので、ガスバーナの点火前に流量調整弁が絞られることがなくガスバーナへの点火を保証することができる。従って、バーナ操作部の点火操作によってガス回路の安全弁が開弁されても、このときはガスバーナが点火されるので、ガスバーナから生ガスが放出されることもない。
【００１２】
また、ガスバーナの火力を弱火とするのが点火操作終了直後であるから、バーナ操作部の点火操作を終えた時点でも調理容器がコンロ部に置かれていない場合は、点火操作を終えてバーナ操作部を燃焼操作状態にすると強制的にガスバーナが弱火にされるが、バーナ操作部の点火操作の最中にコンロ部に調理容器が置かれたときはガスバーナにおいて通常の燃焼動作を行うことができ、使い勝手がよい。
【００１３】
さらに、上記制御手段の制御では、調理容器の載置と点火操作とが同時になされ、例え点火操作の際に調理容器無しと検知されても、ガスバーナを消火せず火力を弱火とするので、調理容器を置いたにもかかわらず再度点火操作しなければならないといった煩わしさを招くこともなく、使い勝手をよくすることができる。
【発明の効果】
【００１４】
（１）請求項１に係る発明によれば、バーナ操作部の点火操作によってガス回路の安全弁が開弁されても、点火操作の際に調理容器無しの場合は、ガスバーナの火力を弱火にするので、調理容器無し時の直火に起因した危険事象を回避し、安全性を確保することができる。しかも、無駄な燃焼を抑制して省エネを図ることができる。
【００１５】
また、バーナ操作部の点火操作によってガス回路の安全弁が開弁されているときはガスバーナへの点火が保証されるので、ガスバーナ周囲に生ガスが滞留することもなく、使用者に対してガス臭いといった不快感を抱かせたり、爆発着火を起こすこともない。
【００１６】
さらに、点火操作の際に調理容器無しと検知されているとガスバーナを消火せず火力を弱火とするので、調理容器の載置と点火操作とが同時になされ、例え点火操作の際に調理容器無しと検知されても、調理容器を置いたにもかかわらず再度点火操作しなければならないといった煩わしさを招くこともなく、使い勝手をよくすることができる。
【００１７】
（２）請求項２に係る発明によれば、上記効果に加えて、点火操作のときに調理容器無しであっても、点火操作が終了するまでは流量調整弁が絞られることはないので、点火操作しているにもかかわらずガスバーナが点火しないといった違和感を使用者に与えることがなく、使い勝手をよくすることができる。
【発明を実施するための最良の形態】
【００１８】
以下に、本発明の実施の形態について添付図面を参照しながら説明する。
（実施の形態１）
図１には、実施の形態１による鍋検知機能が搭載されたガスコンロ１の概略構成を示す。
＜全体構成＞
図１に示すように、実施の形態１によるガスコンロ１は、コンロ本体１００の上面に第１・第２コンロ部５１，５２が左右にそれぞれ設けられ、第１・第２コンロ部には第１・第２ガスバーナ２，３が設置されると共に五徳５０が配置されている。また、各第１・第２コンロ部５１，５２の中心部には、五徳５０に載置された鍋（調理容器）Ａの底部に接触して鍋底温度を検出する鍋底温度センサ１３１が設けられている。この鍋底温度センサ１３１は、昇降自在に支持されており、鍋無し状態では五徳５０の上面から突出するように設置されている。なお、後述するが、この鍋底温度センサ１３１は、五徳５０への鍋Ａの載置によって押し下げられることから、これによって鍋Ａの有無を検知する鍋検知装置（調理容器検知手段）１３が取り付けられている。
【００１９】
また、コンロ本体１００の正面部には、左側において第１ガスバーナ２に対する点火、燃焼及び消火操作を手動で行う第１コンロボタン（バーナ操作部）２１と、第１ガスバーナ２の火力を調節する第１火力調節レバー２２とが設けられ、右側においては第２ガスバーナ３に対する点火、燃焼及び消火操作を手動で行う第２コンロボタン（バーナ操作部）３１と、第２ガスバーナ３の火力を調節する第２火力調節レバー３２とが設けられている。
【００２０】
なお、このガスコンロ１は、コンロ本体１００の中央にグリル４０が設けられ、正面の右側においてこのグリル４０のグリル用ガスバーナ４に対する点火、燃焼及び消火操作を手動で行うグリルボタン４１と、グリル用ガスバーナ４の火力を調節する第３火力調節レバー４２とが設けられている。
【００２１】
＜鍋検知装置＞
次に、上記各コンロ部５１，５２における鍋Ａの有無を検知する鍋検知装置１３について説明する。
図２は鍋検知装置１３の鍋Ａの有無を検知する際の動作を示す模式図である。図２（ａ）は鍋無しの状態を示し、図２（ｂ）は鍋有りの状態を示している。
図２に示すように、鍋検知装置１３は、鍋底温度センサ１３１の昇降移動に伴ってオン・オフされるマイクロスイッチから構成される。すなわち、鍋底温度センサ１３１から引き出されたリード線１３１ａに係止片１３２が取り付けられ、コンロ部５１，５２の五徳５０上に鍋Ａが載せられて鍋底温度センサ１３１が降下すると、これに伴ってリード線１３１ａとともに係止片１３２が移動して鍋検知装置１３の可動片１３３に作用し、鍋検知装置１３がオンされるように構成されている。従って、鍋Ａが無いときは（図２（ａ）参照）、鍋底温度センサ１３１が上昇位置にありリード線１３１ａが引き上げられた状態となって係止片１３２が鍋検知装置１３の可動片１３２に作用せず、鍋検知装置１３がオフされる。これによって、鍋無しが検知される。一方、鍋Ａが五徳５０に置かれているときは（図２（ｂ）参照）、鍋底温度センサ１３１が下降位置にありリード線１３１ａが押し出された状態となって係止片１３２が鍋検知装置１３の可動片１３２に作用し、鍋検知装置１３がオンされる。これによって、鍋有りが検知される。このようにして、鍋検知装置１３のオン・オフによってコンロ部５１，５２における鍋Ａの有無が検知される。
【００２２】
＜ガス回路＞
図３には、上記ガスコンロ１におけるガス回路の構成を示す。
図３に示すように、このガスコンロ１のガス回路は、第１ガスバーナ２への第１ガス回路２ａと、第２ガスバーナ３への第２ガス回路３ａと、グリル用ガスバーナ４へのグリル用ガス回路４ａとを備える。各ガス回路２ａ，３ａ，４ａには、各ボタン２１，３１，４１で手動式に開閉されると共に後述の制御装置６３で開閉制御される電磁安全弁２４，３４，４４と、各ボタン２１，３１，４１で手動式に開閉される開閉弁２５，３５，４５と、火力調節レバー２２，３２，４２及び制御装置６３でガス流量制御される流量調整弁２６，３６，４６とが直列に設けられている。なお、これらのガス回路２ａ，３ａ，４ａの上流側には、元弁７０が配設されている。また、各ガスバーナ２，３，４の近傍には、ガスバーナ２，３，４への点火を行う点火電極２８，３８，４８と、ガスバーナ２，３，４での失火検知を主目的とする炎検知装置２７，３７，４７（炎検知手段）とが配置されている。この炎検知装置２７，３７，４７は、熱電対からなるサーモカップルで構成され、例えば、このサーモカップルでの起電力値が２．８ｍＶ以上となると炎有りと検知される。
【００２３】
＜制御用の電気回路＞
図４には、上記ガスコンロ１における電気回路の構成を示す。
図４に示すように、コンロ本体１００に組み込まれた電気回路には、このガスコンロ１を動作制御する制御装置６１やイグナイター６２等を備えた電装部６０が設けられ、この電装部６０に対して電源ＰＷ（例えば、乾電池）から電力供給されるようになっている。電装部６０と電源ＰＷとの間には、第１コンロボタン２１と連動する電装用マイクロスイッチ２１ａと、第２コンロボタン３１と連動する電装用マイクロスイッチ３１ａと、グリルボタン４１と連動する電装用マイクロスイッチ４１ａとが並列に介挿されている。そして、各電装用マイクロスイッチ２１ａ，３１ａ，４１ａは、各ボタン２１，３１，４１の点火操作状態及び燃焼操作状態でオン状態となって電装部６０への通電を行う一方、各ボタン２１，３１，４１の消火操作状態でオフ状態となって電装部６０への通電を遮断するように構成されている。また、この電気回路には、各ボタン２１，３１，４１の点火操作状態でオンされる点火用マイクロスイッチ２１ｂ，３１ｂ，４１ｂが設けられている。制御装置６１は、鍋無し検知の際の動作制御等を行う制御部６３を備えていおり、また、制御装置６１には、点火用マイクロスイッチ２１ｂ，３１ｂ，４１ｂ、鍋底温度センサ１３１、鍋検知装置１３、電磁安全弁２４，３４，４４、流量調整弁２６，３６，４６等が電気的に接続されている。
【００２４】
＜バーナ操作部による点火、燃焼、消火の操作＞
上記各ボタン２１，３１，４１は、それぞれハートカムを設けたバルブユニット（図示せず）に組み込まれた押しボタン式に構成されている。
各ボタン２１，３１，４１を点火位置まで押し込んで点火操作状態にすると、開閉弁２５，３５，４５が開弁されると共に電磁安全弁２４，３４，４４が押込まれて開弁状態となり、同時に電装用マイクロスイッチ２１ａ，３１ａ，４１ａ及び点火用マイクロスイッチ２１ｂ，３１ｂ，４１ｂがオン状態となる。すると、制御装置６１の指示の下、電磁安全弁２４，３４，４４に開弁保持電流が供給されて開弁保持されると共にイグナイター６２が作動して点火電極２８，３８，４８のスパークによってガスバーナ２，３，４が点火される。
【００２５】
次いで、ボタン２１，３１，４１の押し込み操作（点火操作）を解除すると、ボタン２１，３１，４１が中間位置で係止され、燃焼操作状態に保持される。すると、ボタン２１，３１，４１における点火用マイクロスイッチ２１ｂ，３１ｂ，４１ｂがオフ状態となりイグナイター６２の作動が解除される一方、開閉弁２５，３５，４５は押し込み開弁された状態に保持され、電磁安全弁２４，３４，４４は押圧解除されるが、電装部６０からの通電状態が維持されて開弁保持電流によって開弁保持される。これによって、ガスバーナ２，３，４の燃焼が保持される。
なお、この燃焼状態において、炎検知装置２７，３７，４７の起電力が一定値（例えば、２．８ｍＶ）に満たない場合（炎無しと判断）には、電磁安全弁２４，３４，４４への開弁保持電流が遮断されて閉弁される。
【００２６】
そして、ボタン２１，３１，４１を再度押し込む消火操作が行われると、ボタン２１，３１，４１は、中間位置での係止が解除されて消火操作状態となり元の突出状態となる。すると、ガス回路２ａ，３ａ，４ａの開閉弁２５，３５，４５が閉弁されると共に、電装用マイクロスイッチ２１ａ，３１ａ，４１ａがオフ状態となって電装部６０への通電が遮断され、電磁安全弁２４，３４，４４への開弁保持電流が供給停止されて閉弁される。これによって、ガスバーナ２，３，４が消火される。
【００２７】
＜点火操作のときの鍋の有無に基づく燃焼制御動作＞
次に、図５のフローチャートを参照しながら鍋検知装置１３の鍋Ａの有無検知を利用した燃焼制御動作を説明する。なお、鍋検知機能は第１コンロ部５１、第２コンロ部５２ともに備えるが、以下では、第１コンロ部５１における動作として説明する。
この鍋検知機能付きのガスコンロ１では、第１コンロ部５１の第１ガスバーナ２を燃焼させるにあたり、第１コンロボタン２１を押込んで点火操作が開始される（ステップＳ１）。すると、この点火操作で手動式に第１ガス回路２ａの電磁安全弁２４及び開閉弁２５が開弁されて第１ガス回路２ａから第１ガスバーナ２にガス供給される。また同時に、第１コンロボタン２１の電装用マイクロスイッチ２１ａ及び点火用マイクロスイッチ２１ｂがオンされて鍋検知装置１３により鍋Ａの有無が監視され（ステップＳ２）、制御装置６１の指示の下でイグナイター６２を作動させて点火電極２８をスパークして第１ガスバーナ２に点火する（ステップＳ３）。
【００２８】
このとき、炎検知装置２７で第１ガスバーナ２の炎検知がなされる（ステップＳ４）。なお、この炎検知は、炎検知装置２７のＴＣ起電力が一定値（例えば、２．８ｍＶ）以上か否かを判断することで行われるが、このとき、炎検知装置２７を構成するサーモカップルが温度上昇するに必要なごく僅かな時間（例えば、２秒間）で第１ガスバーナ２の炎が監視される（ステップＳ５→Ｓ４）。なお、炎検知装置２７のＴＣ起電力が一定値に満たないときは、炎が形成されず着火異常と判断し（ステップＳ５で「Ｙｅｓ」）、ガス漏れ防止のため電磁安全弁２４への開弁保持電流を遮断して電磁安全弁２４を閉弁する（ステップＳ９）。
【００２９】
そして、炎検知装置２７のＴＣ起電力が一定値以上のときは、第１ガスバーナ２に炎が形成されたと判断し、次いで、鍋検知装置１３からの検知結果に基づき第１コンロ部５１における鍋Ａの有無を判断する（ステップＳ４）。鍋無しと検知されていた場合は、第１ガスバーナ２で炎が形成されているので、鍋無しに起因した危険事象を回避すべく、制御装置６１の指示の下で第１ガス回路２ａの流量調整弁２６を絞って第１ガスバーナ２の火力を弱火にする（ステップＳ６）。なお、第１コンロボタン２１を押し込んで点火操作状態にあるときでも（第１コンロボタン２１の点火操作に連動して手動で電磁安全弁２４や開閉弁２５が開弁された状態）、炎検知装置２７のＴＣ起電力が一定値以上となって炎検知されると第１ガスバーナ２の火力を弱火にする。一方、鍋検知装置１３で鍋有りが検知されていた場合は（ステップＳ４で「Ｎｏ」）、第１ガスバーナ２は通常燃焼動作に移行される（ステップＳ１１）。
【００３０】
次いで、上記鍋無しが検知されて第１ガスバーナ２を弱火にしたとき（ステップＳ７）、鍋検知装置１３において鍋無しが続いているか否かを監視し続け、第１ガスバーナ２の火力を弱火にしてから鍋無し状態が一定時間（例えば、１分間）継続した場合は（ステップＳ８で「Ｙｅｓ」）、電磁安全弁２４への開弁保持電流を遮断して電磁安全弁２４を閉弁して（ステップＳ９）、第１ガスバーナ２を消火する。一方、第１ガスバーナ２の火力を弱火にしてから上記一定時間内に鍋有りと判断した場合は（ステップＳ６で「Ｎｏ」）、流量調整弁２６の絞り制御を解除して（ステップＳ１０）、通常の燃焼動作に移行させる（ステップＳ１１）。
なお、上記点火操作の際に鍋有りと検知されて第１ガスバーナ２が通常燃焼動作されている調理中等のときでも（ステップＳ１１）、鍋Ａが持上げられる等し鍋検知装置１３で鍋無しが検知されると（ステップＳ６）、流量調整弁２６が絞られて第１ガスバーナ２が弱火にされ（ステップＳ７）、上記同様の燃焼制御動作が行われる。
【００３１】
以上説明したように、本実施の形態１による鍋検知機能付きのガスコンロ１によれば、第１コンロボタン２１の点火操作の際に鍋検知装置１３からの検知結果に基づき鍋無しと判断した場合、第１ガスバーナ２の点火を確認する炎検知装置２７からの炎検知に基づき直ちに第１ガスバーナ２の火力を弱火にする（ステップＳ１〜Ｓ７）。従って、第１コンロボタン２１の点火操作に際して、鍋無し時の直火に伴う危険性を低減することができ、しかも無駄な燃焼を抑制して省エネを図ることができる。
【００３２】
また、手動でガス回路２ａの電磁安全弁２４や開閉弁２５が開弁される点火操作のときに鍋無しであっても、第１ガスバーナ２の点火前に流量調整弁２６が絞られることがなく第１ガスバーナ２の点火を保証するので、第１ガスバーナ２から生ガスが放出されることを防止でき、爆発着火のおそれがなく安全で且つガス臭さくなって使用者に不快感を与えることもない。
【００３３】
さらに、例えば、使用者が一方の手で鍋Ａを第１コンロ部５１に置きながら、他方の手で第１コンロボタン２１の点火操作を行った場合に、鍋検知装置１３の鍋Ａの有無検知よりも点火操作が早く行われて点火操作のとき鍋無しと判断されても、第１ガスバーナ２を消火せずに火力を弱火にし、その後、鍋有り検知によって直ちに通常燃焼に移行される（ステップＳ６、Ｓ１０、Ｓ１１）。従って、鍋Ａを置いているにもかかわらず、再度点火操作を行わなければならないといった煩わしさを防止でき、使い勝手を向上させることができる。
【００３４】
（実施の形態２）
実施の形態２は、点火操作のときの鍋Ａの有無に基づく燃焼制御動作においては、図６のフローチャートに示すように、第１コンロボタン２１の点火用マイクロスイッチ２１ｂがオフとされて点火操作終了されたか否か判断し（ステップＳ１００）、点火操作の終了直後に鍋検知装置１３で鍋無し検知されると（ステップＳ６）、第１ガス回路２ａの流量調整弁２６を絞って第１ガスバーナ２の火力が弱火となるようにする（ステップＳ７）。その他の構成は、上記実施の形態１と同様である。
【００３５】
すなわち、この実施の形態２では、第１コンロボタン２１の点火操作を終えた時点でも鍋Ａが第１コンロ部５１に置かれていない場合は、点火操作を終えて第１コンロボタン２１を燃焼操作状態にすると強制的に第１ガスバーナ２が弱火にされるが、第１コンロボタン２１の点火操作の最中に第１コンロ部５１に鍋Ａが置かれたときは第１ガスバーナ２において通常の燃焼動作を行わせることができる。従って、例えば、使用者が一方の手で鍋Ａを第１コンロ部５１に置きながら、他方の手で第１コンロボタン２１の点火操作を行っていた場合でも、第１コンロボタン２１の点火操作の最中に第１コンロ部５１に鍋Ａが置かれたときは第１ガスバーナ２において通常の燃焼動作を行わせることができ、使い勝手がよい。また、このものは、点火操作のときに鍋無しであっても、点火操作が終了するまでは流量調整弁２６が絞られることはないので、点火操作しているにもかかわらず第１ガスバーナ２が点火しないといった違和感を使用者に与えることもなく、使い勝手がよい。
【００３６】
（その他）
なお、本発明は、上記各実施の形態のみに限定されず、例えば、以下の変更が可能である。
（１）コンロボタンの点火操作の間に行う鍋無し検知としては、上記実施の形態１のものでは、少なくとも、炎検知装置２７が炎検知可能な状態となった時点あるいは炎検知装置２７で炎検知した直後の時点において鍋無し検知する構成であればよく、また、上記実施の形態２のものでは、少なくともコンロボタンの点火操作終了時点において鍋無し検知する構成であればよい。
【００３７】
（２）また、本発明のガスコンロとしては、外部電源から電力供給を受けるようにし、電源をオンオフさせるための電源ボタンを設けたものでもよい。この場合、上記鍋無し検知は、電源ボタンで電源オンした時点から監視するようにしてもよい。
【００３８】
（３）また、点火操作に際して鍋無し検知されたときには、ブザーや表示等の報知、又は音声ガイダンス等を行うようにしてもよい。これにより、使用者に対して、鍋置きを促して鍋無し状態で点火操作されることを未然に防ぐようにすると共に、鍋無し時では通常の燃焼制御動作とは異なったガスバーナの燃焼制御動作となることを認識させることができる。
【００３９】
（４）また、点火操作の際の鍋無し検知による燃焼制御は、すべてのコンロ部に適用してもよいし、特定のコンロ部だけに適用するようにしてもよい。
【００４０】
（５）また、調理容器検知手段としては、昇降式の鍋底温度センサ１３１の昇降位置から検知する上記鍋検知装置１３に限らず、接触式か非接触式かを問わずコンロ部での鍋を検知可能な各種センサを使用してもよい。
【００４１】
（６）また、バーナ操作部として、上記コンロボタン２１，３１，４１は、いわゆる押しボタン式であるが、これに代えて、点火操作のときには消火位置から点火位置まで回され、燃焼操作のときには点火位置から中間位置まで復帰され（この状態で回動させると火力調節される。）、消火操作のときには元の消火位置に戻される、いわゆる回転式でもよい。
【図面の簡単な説明】
【００４２】
【図１】実施の形態１による鍋検知機能付きのガスコンロの概略構成を示す正面図である。
【図２】鍋検知装置の鍋の有無を検知する際の動作を説明するための模式図である。
【図３】ガスコンロのガス回路を示す模式図である。
【図４】ガスコンロの電気回路を示す模式図である。
【図５】実施の形態１のガスコンロにおける、制御装置による鍋検知装置の鍋の有無検知を利用した燃焼動作の制御の流れを示すフローチャートである。
【図６】実施の形態２のガスコンロにおける、制御装置による鍋検知装置の鍋の有無検知を利用した燃焼動作の制御の流れを示すフローチャートである。
【符号の説明】
【００４３】
１  ガスコンロ
２，３，４  ガスバーナ
２ａ  第１ガス回路
３ａ  第２ガス回路
４ａ  グリル用ガス回路
１３  鍋検知装置
２１  第１コンロボタン（バーナ操作部）
２４，３４，４４  電磁安全弁
２５，３５，４５  開閉弁
２６，３６，４６  流量調整弁
２７，３７，４７  炎検知装置
３１  第２コンロボタン（バーナ操作部）
４１  グリル用ボタン
６１  制御装置
１３１  鍋底温度センサ
Ａ  鍋  
【図１】
2007046799.tif 000003
【図２】
2007046799.tif 000004
【図３】
2007046799.tif 000005
【図４】
2007046799.tif 000006
【図５】
2007046799.tif 000007
【図６】
2007046799.tif 000008